(57)【要約】１つのサービスが複数のＭＢＭＳデータストリームにより構成されている場合でも、無線回線及びネットワークのリソースを有効に利用することができるパケット中継装置、マルチキャストパケット通信システム及びマルチキャストパケット通信方法を開示する。ＧＧＳＮ（１２０）、ＳＧＳＮ（１３０）、ＲＮＣ（１４０）の各中継装置は、ＵＥ（１５０）の要求するサービスを識別するサービス識別子と、ＵＥ（１５０）の無線アクセス方式を識別するグループＩＤと、当該グループＩＤに対応するＲＴＰポート番号とを対応付けて記憶する。各中継装置は、記憶しているＩＰマルチキャストアドレス、グループＩＤ、ＲＴＰポート番号に基づいて、ＢＭ−ＳＣ（１１０）からＵＥ（１５０）に宛てて送信されたＭＢＭＳデータストリームのうち、ＵＥ（１５０）が要求するＭＢＭＳデータストリームのみを転送する。【特許請求の範囲】
【請求項１】
マルチキャストパケット通信を行う通信端末装置から要求されたデータストリームを識別するストリーム識別子を受信する制御手段と、
上位装置から送信されたデータストリームを受信し、受信したデータストリームのうち前記ストリーム識別子に基づいて前記通信端末装置が要求するデータストリームを選択し、選択したデータストリームを下位装置に転送する選択手段と、
を具備するパケット中継装置。
【請求項２】
前記選択手段は、前記通信端末装置が要求するサービスを識別するサービス識別子と、前記通信端末装置の機能を識別する識別子と、前記ストリーム識別子とをそれぞれ対応付けて記憶する請求項１に記載のパケット中継装置。
【請求項３】
前記通信端末装置の機能を無線アクセス方式によって識別する請求項２に記載のパケット中継装置。
【請求項４】
前記通信端末装置の機能を動画ストリームまたは音声ストリームの再生機能または通信端末装置の無線アクセス機能によって識別する請求項２に記載のパケット中継装置。
【請求項５】
前記選択手段は、通信端末装置が要求するサービスを識別するサービス識別子と前記ストリーム識別子とを対応付けて記憶する請求項１に記載のパケット中継装置。
【請求項６】
サービスを識別するサービス識別子とデータストリームを識別するストリーム識別子とを用いて所望のサービスを要求する通信端末装置と、
上位装置から送信された複数のデータストリームのうち、前記ストリーム識別子に基づいて前記通信端末装置が要求するデータストリームを下位装置に転送するパケット中継装置と、
を具備するマルチキャストパケット通信システム。
【請求項７】
サービスを識別するサービス識別子とデータストリームを識別するストリーム識別子とを用いて通信端末装置が所望のサービスを要求する工程と、
上位装置から送信された複数のデータストリームのうち、前記ストリーム識別子に基づいて前記通信端末装置が要求するデータストリームをパケット中継装置が下位装置に転送する工程と、
を具備するマルチキャストパケット通信方法。
【発明の詳細な説明】
【技術分野】
【０００１】  本発明は、マルチキャストパケット通信を提供するパケット中継装置、マルチキャストパケット通信システム及びマルチキャストパケット通信方法に関する。
【背景技術】
【０００２】  移動体通信の分野においては、近年、マルチメディア・ブロードキャスト／マルチキャストサービス（Ｍｕｌｔｉｍｅｄｉａ  Ｂｒｏａｄｃａｓｔ／Ｍｕｌｔｉｃａｓｔ  Ｓｅｒｖｉｃｅ：以下、「ＭＢＭＳ」という）に関する技術的な検討が行われている。ＭＢＭＳは、１対１の通信ではなく、１対多の通信であり、１つの基地局装置が複数の通信端末装置に対して同時に同一データ（例えば、音楽データやビデオ画像データ等）を送信する。【０００３】  ＭＢＭＳの利点としては以下のことが挙げられる。すなわち、ストリーミング・サービス等で、基地局装置から送信される情報をそれぞれの通信端末装置が個別チャネルを１チャネルずつ使用して受信すると、その情報を受信したい通信端末装置が増えた場合に、無線回線にかかる負荷が大きくなってしまう。しかし、ＭＢＭＳを使用すると、通信端末装置が増えた場合でもそれらの通信端末装置全てが同じチャネルを使用して情報を受信するので、無線回線にかかる負荷を増大させることなく情報受信できる通信端末装置を増加させることができる。現在、ＭＢＭＳを用いたサービスとしては、交通情報の配信、音楽配信、駅でのニュース配信、スポーツ中継の配信等が考えられている。【０００４】  図１は、ＭＢＭＳを提供するパケット通信システム１０の構成図である。ＭＢＭＳのパケット通信システム１０は、コンテンツプロバイダ１１、ＢＭ−ＳＣ（Ｂｒｏａｄｃａｓｔ／Ｍｕｌｔｉｃａｓｔ  Ｓｅｒｖｉｃｅ  Ｃｅｎｔｅｒ）１２、ＧＧＳＮ１３、ＳＧＳＮ１４、基地局制御局装置（以下、「ＲＮＣ」という）１５、基地局装置（以下、「Ｎｏｄｅ  Ｂ」という）１６及び通信端末装置（以下、「ＵＥ」という）１７から構成される。【０００５】  また、ＧＧＳＮ１３及びＳＧＳＮ１４はコアネットワーク（以下、「ＣＮ」という）１８を構成し、ＲＮＣ１５及びＮｏｄｅ  Ｂ１６は無線アクセスネットワーク（以下、「ＲＡＮ」という）１９を構成している。【０００６】  コンテンツプロバイダ１１は、コンテンツ提供者であり、ＭＢＭＳで提供するコンテンツをＭＢＭＳデータとしてＢＭ−ＳＣ１２に提供する。【０００７】  ＢＭ−ＳＣ１２は、ＧＧＳＮ１３に指示すると共に、コンテンツプロバイダ１１から提供されたＭＢＭＳデータをＧＧＳＮ１３に転送する。【０００８】  ＧＧＳＮ１３は、ＢＭ−ＳＣ１２の指示に従い、ＳＧＳＮ１４との間で、ＭＢＭＳデータを転送するためのｂｅａｒｅｒ  ｐｌａｎｅを設定する。【０００９】  ＳＧＳＮ１４は、ユーザ毎のＭＢＭＳ制御（例えば、ＭＢＭＳ  Ｍｕｌｔｉｃａｓｔ  Ｓｅｒｖｉｃｅ  Ａｃｔｉｖａｔｉｏｎ，ＭＢＭＳ  Ｓｅｓｓｉｏｎ  Ｓｔａｒｔ  Ｒｅｑｕｅｓｔ，ＭＢＭＳ  Ｒｅｇｉｓｔｒａｔｉｏｎ，ＭＢＭＳ  Ｓｅｓｓｉｏｎ  Ｓｔｏｐ）を行うと共に、ＭＢＭＳデータをＲＮＣ１５に転送する。【００１０】  ＲＮＣ１５は、ＭＢＭＳデータを効率的に転送するために、ＳＧＳＮ１４から転送されたＭＢＭＳデータを複製し、複製したＭＢＭＳデータをＮｏｄｅ  Ｂ１６それぞれに転送する。【００１１】  Ｎｏｄｅ  Ｂ１６は、ＲＮＣ１５から転送されたＭＢＭＳデータを無線インタフェースの共通チャネルを用いて、ＵＥ１７に無線送信する。公衆ネットワークは、ＲＮＣ���５とＮｏｄｅ  Ｂ１６との間のデータ転送に利用される。【００１２】  ＵＥ１７は、ＭＢＭＳ  ｂｅａｒｅｒ  ｓｅｒｖｉｃｅ制御を行うと共に、Ｎｏｄｅ  Ｂ１６から無線送信されたＭＢＭＳデータを受信する。【００１３】  このように、コンテンツプロバイダ１１によって提供されたコンテンツは、ＭＢＭＳデータとしてＮｏｄｅ  Ｂ１６配下の複数のＵＥ１７に対して、一斉に送信される。【００１４】  ところで、１つのサービスが複数のＭＢＭＳデータストリームにより構成されている場合があり、例えば、映像と音声を別々のＭＢＭＳデータストリームにより伝送する場合や、階層化符号化を用いて映像、音声を基本レイヤストリームと拡張レイヤストリームに符号化し、基本レイヤストリームと拡張レイヤストリームとを別々のＭＢＭＳデータストリームにより伝送する場合などがある。【００１５】  具体的には、マルチキャストサービスがＩＰマルチキャストアドレスにより識別され、このマルチキャストサービスが複数のＲＴＰ（Ｒｅａｌ−ｔｉｍｅ  Ｔｒａｎｓｐｏｒｔ  Ｐｒｏｔｏｃｏｌ）ストリームにより構成される場合が考えられる。この場合、音声と映像が別々のＲＴＰストリームにより転送され、これらが同じ１つのＩＰマルチキャストアドレスを利用して転送される場合が考えられる。
【非特許文献１】３ＧＰＰ  ＴＳ  ２３．２４６  Ｖ．６．２．０（２００４−０３）Ｍｕｌｔｉｍｅｄｉａ  Ｂｒｏａｄｃａｓｔ／Ｍｕｌｔｉｃａｓｔ  Ｓｅｒｖｉｃｅ（ＭＢＭＳ）；Ａｒｃｈｉｔｅｃｔｕｒｅ  ａｎｄ  ｆｕｎｃｔｉｏｎａｌ  ｄｅｓｃｒｉｐｔｉｏｎ（Ｒｅｌｅａｓｅ  ６）
【発明の開示】
【発明が解決しようとする課題】
【００１６】  しかしながら、上述したＭＢＭＳを提供するシステム構成におけるマルチキャストパケット通信方法では、１つのサービスが複数のＭＢＭＳデータストリームにより構成されている場合、端末の希望するストリームに応じたＭＢＭＳデータストリームだけを転送することができず、無線回線及びネットワークに不要なＭＢＭＳデータが配信されるため、無線回線及びネットワークのリソースを有効に利用することができない。【００１７】  本発明の目的は、１つのサービスが複数のＭＢＭＳデータストリームにより構成されている場合でも、無線回線及びネットワークのリソースを有効に利用することができるパケット中継装置、マルチキャストパケット通信システム及びマルチキャストパケット通信方法を提供することである。
【課題を解決するための手段】
【００１８】  本発明のパケット中継装置は、マルチキャストパケット通信を行う通信端末装置から要求されたデータストリームを識別するストリーム識別子を受信する制御手段と、上位装置から送信されたデータストリームを受信し、受信したデータストリームのうち前記ストリーム識別子に基づいて前記通信端末装置が要求するデータストリームを選択し、選択したデータストリームを下位装置に転送する選択手段と、を具備する構成を採る。【００１９】  本発明のマルチキャストパケット通信システムは、サービスを識別するサービス識別子とデータストリームを識別するストリーム識別子とを用いて所望のサービスを要求する通信端末装置と、上位装置から送信された複数のデータストリームのうち、前記ストリーム識別子に基づいて前記通信端末装置が要求するデータストリームを下位装置に転送するパケット中継装置と、を具備する構成を採る。【００２０】  これらの構成によれば、上位装置から受信したデータストリームのうち通信端末装置が要求するデータストリームを下位装置に転送するので、通信端末装置が要求しないデータストリームの転送を回避することができ、無線回線及びネットワークのリソースを有効に利用することができる。【００２１】  本発明のマルチキャストパケット通信方法は、サービスを識別するサービス識別子とデータストリームを識別するストリーム識別子とを用いて通信端末装置が所望のサービスを要求する工程と、上位装置から送信された複数のデータストリームのうち、前記ストリーム識別子に基づいて前記通信端末装置が要求するデータストリームをパケット中継装置が下位装置に転送する工程と、を具備するようにした。【００２２】  この方法によれば、上位装置から受信したデータストリームのうち通信端末装置が要求するデータストリームを下位装置に転送するので、通信端末装置が要求しないデータストリームの転送を回避することができ、無線回線及びネットワークのリソースを有効に利用することができる。
【発明の効果】
【００２３】  本発明によれば、１つのサービスが複数のＭＢＭＳデータストリームにより構成されている場合でも、無線回線及びネットワークのリソースを有効に利用することができる。
【図面の簡単な説明】
【００２４】
【図１】ＭＢＭＳを提供するパケット通信システムの構成図
【図２】本発明の実施の形態１に係るマルチキャストパケット通信システムの構成を示すブロック図
【図３】ＩＰマルチキャストアドレス及びグループＩＤの対応関係を記憶するテーブルを示す図
【図４】図２に示したマルチキャストパケット通信システムにおける制御手順を示すシーケンス図
【図５】Ｓｅｒｖｉｃｅ  Ａｎｎｏｕｎｃｅｍｅｎｔの説明に供する図
【図６】Ｊｏｉｎｉｎｇ，ＭＢＭＳ  Ｎｏｔｉｆｉｃａｔｉｏｎ  Ｒｅｑｕｅｓｔの説明に供する図
【図７】ＭＢＭＳ  ＵＥ  Ｌｉｎｋｉｎｇ  Ｒｅｑｕｅｓｔの説明に供する図
【図８】Ｓｅｓｓｉｏｎ  Ｓｔａｒｔ  Ｒｅｑｕｅｓｔの説明に供する図
【図９】図２に示したマルチキャストパケット通信システムにおけるＭＢＭＳデータストリームの流れを示す概念図
【図１０】Ｓｅｒｖｉｃｅ  Ａｎｎｏｕｎｃｅｍｅｎｔ，Ｊｏｉｎｉｎｇ，ＭＢＭＳ  Ｎｏｔｉｆｉｃａｔｉｏｎ  Ｒｅｑｕｅｓｔの説明に供する図
【図１１】ＭＢＭＳ  ＵＥ  ｌｉｎｋｉｎｇ  Ｒｅｑｕｅｓｔの説明に供する図
【図１２】Ｓｅｓｓｉｏｎ  Ｓｔａｒｔ  Ｒｅｑｕｅｓｔを示す図
【図１３】ＴＭＧＩとグループＩＤ毎のＲＴＰポート番号とを対応付けたＳｅｒｖｉｃｅ  Ａｎｎｏｕｎｃｅｍｅｎｔを示す図
【発明を実施するための最良の形態】
【００２５】  以下、本発明の実施の形態について、図面を参照して詳細に説明する。【００２６】  （実施の形態１）
図２は、本発明の実施の形態１に係るマルチキャストパケット通信システム１００の構成を示すブロック図である。まず、ＢＭ−ＳＣ（Ｂｒｏａｄｃａｓｔ／Ｍｕｌｔｉｃａｓｔ  ｓｅｒｖｉｃｅ  ｃｅｎｔｅｒ）１１０について説明する。情報記憶部１１１は、ＢＭ−ＳＣ１１０が提供するマルチキャストサービス内容、サービスを識別するサービス識別子としてのＩＰマルチキャストアドレス、グループＩＤ、ＴＭＧＩ（Ｔｅｍｐｏｒａｒｙ  Ｍｏｂｉｌｅ  Ｇｒｏｕｐ  Ｉｄｅｎｔｉｔｙ）をそれぞれ対応付けて記憶する。【００２７】  ここで、グループＩＤとは、ＵＥの機能を識別する識別子であり、ＵＥの機能としては、ＵＥの無線アクセス方式があり、例えば、いわゆる第２世代、第３世代、第４世代移動体無線通信システムと呼ばれる無線アクセス方式などである。また、ＵＥの機能としては、動画ストリーム又は音声ストリームの再生機能がある。さらに、ＵＥの機能としては、３ＧＰＰ  ＴＳ２５．３３１のＵＥ  Ｃａｐａｂｉｌｉｔｙ  Ｉｎｆｏｒｍａｔｉｏｎの通信端末装置の無線アクセス機能（ＵＥ  ｒａｄｉｏ  ａｃｃｅｓｓ  ｃａｐａｂｉｌｉｔｙ）で定義されているＵＥのデータレート、チャネル数、バッファ量、アクセスモード（ＦＤＤ，ＴＤＤ）、周波数帯、ヘッダ圧縮機能、暗号化機能がある。また、ＴＭＧＩとは、ビット長の長いＩＰマルチキャストアドレスを短いビット長に置き換えたものであり、これにより無線リソースを効率的に利用することができる。【００２８】  ＭＢＭＳ用送信部１１２は、情報記憶部１１１に記憶されたマルチキャストサービス内容、ＩＰマルチキャストアドレス及びグループＩＤを読み出し、読み出した情報をＵＥ１５０に送信（Ｓｅｒｖｉｃｅ  Ａｎｎｏｕｎｃｅｍｅｎｔ）する。【００２９】  データ転送制御部１１３は、図示せぬコンテンツプロバイダからＭＢＭＳデータを受信し、受信したＭＢＭＳデータに含まれるＩＰマルチキャストアドレスと対応するＴＭＧＩ、グループＩＤ及びＭＢＭＳデータストリームを識別するストリーム識別子としてのＲＴＰポート番号を情報記憶部１１１から読み出し、マルチキャストパケット通信を開始するため、読み出したＴＭＧＩ、グループＩＤ及びＲＴＰポート番号を含む制御信号（Ｓｅｓｓｉｏｎ  Ｓｔａｒｔ  Ｒｅｑｕｅｓｔ）をＧＧＳＮ１２０に出力する。【００３０】  また、データ転送制御部１１３は、ＧＧＳＮ１２０からのＩＰマルチキャストアドレスに対応するＴＭＧＩの問い合わせ（ＭＢＭＳ  Ｒｅｇｉｓｔｒａｔｉｏｎ  Ｒｅｑｕｅｓｔ）に対して、ＴＭＧＩを含む制御信号をＧＧＳＮ１２０に出力（ＭＢＭＳ  Ｒｅｇｉｓｔｒａｔｉｏｎ  Ｒｅｓｐｏｎｓｅ）する。【００３１】  さらに、データ転送制御部１１３は、コンテンツプロバイダから受信したＭＢＭＳデータをＧＧＳＮ１２０に転送する。【００３２】  次に、ＧＧＳＮ１２０について説明する。制御部１２１は、ＵＥ１５０、ＢＭ−ＳＣ１１０及びＳＧＳＮ１３０と制御信号の送受信を行うと共に、選択部１２２を制御する。具体的には以下のような処理を行う。【００３３】  制御部１２１は、ＵＥ１５０からＩＰマルチキャストアドレス及びグループＩＤを受信（Ｊｏｉｎｉｎｇ）し、受信したＩＰマルチキャストアドレス及びグ���ープＩＤを選択部１２２に出力する。【００３４】  また、制御部１２１は、ＳＧＳＮ１３０に対してマルチキャストサービス活性化処理を行い、ＩＰマルチキャストアドレスとグループＩＤを含む制御信号をＳＧＳＮ１３０に出力する（ＭＢＭＳ  Ｎｏｔｉｆｉｃａｔｉｏｎ  Ｒｅｑｕｅｓｔ，Ｃｒｅａｔｅ  ＭＢＭＳ  Ｃｏｎｔｅｘｔ  Ｒｅｑｕｅｓｔ，Ｃｒｅａｔｅ  ＭＢＭＳ  Ｃｏｎｔｅｘｔ  Ｒｅｓｐｏｎｓｅ）。【００３５】  また、制御部１２１は、ＩＰマルチキャストアドレスに対応するＴＭＧＩをＢＭ−ＳＣ１１０に問い合わせ（ＭＢＭＳ  Ｒｅｇｉｓｔｒａｔｉｏｎ  Ｒｅｑｕｅｓｔ）、ＢＭ−ＳＣ１１０からＩＰマルチキャストアドレスに対応するＴＭＧＩを受信（ＭＢＭＳ  Ｒｅｇｉｓｔｒａｔｉｏｎ  Ｒｅｓｐｏｎｓｅ）する。【００３６】  また、制御部１２１は、使用されるＴＭＧＩとグループＩＤに対応するＭＢＭＳデータのみを選択するように、選択部１２２に指示する。【００３７】  また、制御部１２１は、ＳＧＳＮ１３０からのＩＰマルチキャストアドレスに対応するＴＭＧＩの問い合わせに（ＭＢＭＳ  Ｒｅｇｉｓｔｒａｔｉｏｎ  Ｒｅｑｕｅｓｔ）対して、対応するＴＭＧＩを含む制御信号を出力（ＭＢＭＳ  Ｒｅｇｉｓｔｒａｔｉｏｎ  Ｒｅｓｐｏｎｓｅ）する。【００３８】  また、制御部１２１は、ＢＭ−ＳＣ１１０からマルチキャストパケット通信の開始を示すＴＭＧＩ、グループＩＤ、ＲＴＰポート番号を含む制御信号（Ｓｅｓｓｉｏｎ  Ｓｔａｒｔ  Ｒｅｑｕｅｓｔ）を受信すると共に、受信したＳｅｓｓｉｏｎ  Ｓｔａｒｔ  ＲｅｑｕｅｓｔをＳＧＳＮ１３０に出力する。【００３９】  選択部１２２は、図３に示すように、ＩＰマルチキャストアドレス及びグループＩＤの対応関係を記憶するテーブルを有し、制御部１２１から出力されたＩＰマルチキャストアドレス及びグループＩＤがテーブルに記憶されていない新規なものである場合、これらをテーブルに記憶する。【００４０】  また、選択部１２２は、ＩＰマルチキャストアドレスが新規のアドレスである場合、制御部１２１を介してＩＰマルチキャストアドレスに対応するＴＭＧＩを受信し、受信したＴＭＧＩをテーブルに記憶する。【００４１】  また、選択部１２２は、ＭＢＭＳデータを受信する前に、制御部１２１を介してＢＭ−ＳＣ１１０からＴＭＧＩとグループＩＤに対応するＲＴＰポート番号を受信し、テーブルに記憶しているグループＩＤについてのみ、グループＩＤに対応するＲＴＰポート番号を記憶する。【００４２】  また、選択部１２２は、ＭＢＭＳデータを受信した際には、テーブルに記憶しているＲＴＰポート番号に対応するＭＢＭＳデータを選択し、選択したＭＢＭＳデータのみをＳＧＳＮ１３０に送信する。【００４３】  次に、ＳＧＳＮ１３０について説明する。制御部１３１は、ＵＥ１５０、ＧＧＳＮ１２０及びＲＮＣ１４０と制御信号の送受信を行うと共に、選択部１３２を制御する。具体的には以下のような処理を行う。【００４４】  制御部１３１は、ＧＧＳＮ１２０からマルチキャストサービス活性化処理を受けると、ＩＰマルチキャストアドレスを含む制御信号をＵＥ１５０に出力（Ｒｅｑｕｅｓｔ  ＭＢＭＳ  Ｃｏｎｔｅｘｔ  Ａｃｔｉｖａｔｉｏｎ）する。【００４５】  また、制御部１３１は、ＩＰマルチキャストアドレスに対応するＴＭＧＩをＧＧＳＮ１２０に問い合わせ（ＭＢＭＳ  Ｒｅｇｉｓｔｒａｔｉｏｎ  Ｒｅｑｕｅｓｔ）、ＧＧＳＮ１２０からＩＰマルチキャストアドレスに対応するＴＭＧＩを受信（ＭＢＭＳ  Ｒｅｇｉｓｔｒａｔｉｏｎ  Ｒｅｓｐｏｎｓｅ）する。【００４６】  また、制御部１３１は、使用されるＴＭＧＩとグループＩＤに対応するＭＢＭＳデータのみを選択するように、選択部１３２に指示する。【００４７】  また、制御部１３１は、ＧＧＳＮ１２０からＳｅｓｓｉｏｎ  Ｓｔａｒｔ  Ｒｅｑｕｅｓｔを受信し、受信したＳｅｓｓｉｏｎ  Ｓｔａｒｔ  ＲｅｑｕｅｓｔをＲＮＣ１４０に出力する。【００４８】  なお、選択部１３２については、ＧＧＳＮ１２０の選択部１２２と同様なので、その詳細な説明は省略する。【００４９】  次に、ＲＮＣ１４０について説明する。制御部１４１は、ＵＥ１５０及びＳＧＳＮ１３０と制御信号の送受信を行うと共に、選択部１４２を制御する。具体的には以下のような処理を行う。【００５０】  制御部１４１は、ＳＧＳＮ１３０からＴＭＧＩに対応するグループＩＤを受信（ＭＢＭＳ  ＵＥ  ｌｉｎｋｉｎｇ  Ｒｅｑｕｅｓｔ）する。【００５１】  また、制御部１４１は、使用されるＴＭＧＩとグループＩＤに対応するＭＢＭＳデータのみを選択するように、選択部１４２に指示する。【００５２】  また、制御部１４１は、ＳＧＳＮ１３０からＳｅｓｓｉｏｎ  Ｓｔａｒｔ  Ｒｅｑｕｅｓｔを受信し、受信したＳｅｓｓｉｏｎ  Ｓｔａｒｔ  Ｒｅｑｕｅｓｔに含まれるＴＭＧＩを含む制御信号をＵＥ１５０に出力（Ｎｏｔｉｆｉｃａｔｉｏｎ）する。【００５３】  なお、選択部１４２については、ＧＧＳＮ１２０の選択部１２２と同様なので、その詳細な説明は省略する。【００５４】  次に、ＵＥ１５０について説明する。ＭＢＭＳ用受信部１５１は、ＢＭ−ＳＣ１１０から送信されたマルチキャストサービス内容、ＩＰマルチキャストアドレス及びグループＩＤを受信し、受信したこれらの情報を情報記憶部１５２に出力する。【００５５】  情報記憶部１５２は、ＭＢＭＳ用受信部１５１から出力されたマルチキャストサービス内容、ＩＰマルチキャストアドレス及びグループＩＤと、ＴＭＧＩとを対応付けて記憶する。【００５６】  ＭＢＭＳデータ送受信部１５３は、受信を希望するマルチキャストサービスに対応するＩＰマルチキャストアドレスとグループＩＤとを含む制御信号をＧＧＳＮ１２０に出力（Ｊｏｉｎｉｎｇ）する。【００５７】  また、ＭＢＭＳデータ送受信部１５３は、ＳＧＳＮ１３０との間でマルチキャストサービス活性化の処理を行い、ＩＰマルチキャストアドレスに対応するＴＭＧＩをＳＧＳＮ１３０から受信し、受信したＴＭＧＩを情報記憶部１５２に出力する（Ｒｅｑｕｅｓｔ  ＭＢＭＳ  Ｃｏｎｔｅｘｔ  Ａｃｔｉｖａｔｉｏｎ，Ａｃｔｉｖａｔｅ  ＭＢＭＳ  Ｃｏｎｔｅｘｔ  Ｒｅｑｕｅｓｔ，Ａｃｔｉｖａｔｅ  ＭＢＭＳ  Ｃｏｎｔｅｘｔ  Ａｃｃｅｐｔ）。【００５８】  また、ＭＢＭＳデータ送受信部１５３は、ＲＮＣ１４０からＭＢＭＳデータの転送開始を示す制御信号（Ｎｏｔｉｆｉｃａｔｉｏｎ）を受信し、情報記憶部１５２に記憶されているＩＰマルチキャストアドレスに対応す���ＴＭＧＩに基づいて、図示せぬＮｏｄｅ  ＢからＭＢＭＳデータを受信する。【００５９】  なお、図２では、ＢＭ−ＳＣ１１０のＭＢＭＳ用送信部１１２とＵＥ１５０のＭＢＭＳ用受信部１５１とは直接接続しているにように記載しているが、実際には、ＧＧＳＮ１２０、ＳＧＳＮ１３０、ＲＮＣ１４０、Ｎｏｄｅ  Ｂを介して接続している。【００６０】  次に、上述したマルチキャストパケット通信システム１００における制御手順について図４を用いて説明する。図４において、ＳＴ３０１では、ＢＭ−ＳＣ１１０のＭＢＭＳ用送信部１１２からＳｅｒｖｉｃｅ  Ａｎｎｏｕｎｃｅｍｅｎｔが送信され、マルチキャストサービスをＵＥ１５０に通知する。Ｓｅｒｖｉｃｅ  Ａｎｎｏｕｎｃｅｍｅｎｔには、ＢＭ−ＳＣ１１０の情報記憶部１１１に記憶されているマルチキャストサービス内容、ＩＰマルチキャストアドレス及びグループＩＤが設定されており、図５に示すように、ＩＰマルチキャストアドレス及びグループＩＤが対応付けられている。【００６１】  ＵＥ１５０では、受信したＳｅｒｖｉｃｅ  Ａｎｎｏｕｎｃｅｍｅｎｔに含まれているＩＰマルチキャストアドレス及びグループＩＤのうち、受信を希望するものを情報記憶部１５２に記憶する。【００６２】  ＳＴ３０２では、ＵＥ１５０のＭＢＭＳデータ送受信部１５３は、マルチキャストサービスを受信する場合、受信を希望するマルチキャストサービスとＭＢＭＳデータストリームに対応するＩＰマルチキャストアドレスとグループＩＤとを含むＪｏｉｎｉｎｇをＧＧＳＮ１２０に送信する。Ｊｏｉｎｉｎｇには、ＩＰマルチキャストアドレス及びＵＥ１５０のグループＩＤが設定されており、図６に示すように、ＩＰマルチキャストアドレスとＵＥ１５０のグループＩＤとが対応付けられている。ＧＧＳＮ１２０の選択部１２２は、受信したＪｏｉｎｉｎｇに含まれているＩＰマルチキャストアドレス及びグループＩＤを記憶する。【００６３】  ＳＴ３０３では、ＧＧＳＮ１２０からＳＧＳＮ１３０に対して、ＩＰマルチキャストアドレス及びグループＩＤを含むＭＢＭＳ  Ｎｏｔｉｆｉｃａｔｉｏｎ  Ｒｅｑｕｅｓｔを送信し、ＵＥ１５０がマルチキャストサービスに加入したことを通知する。ＭＢＭＳ  Ｎｏｔｉｆｉｃａｔｉｏｎ  Ｒｅｑｕｅｓｔには、図６に示すように、ＩＰマルチキャストアドレスとＵＥ１５０のグループＩＤとが対応付けられている。ＳＧＳＮ１３０の選択部１３２は、受信したＭＢＭＳ  Ｎｏｔｉｆｉｃａｔｉｏｎ  Ｒｅｑｕｅｓｔに含まれているＩＰマルチキャストアドレス及びグループＩＤを記憶する。【００６４】  ＳＴ３０４では、ＳＧＳＮ１３０の制御部１３１が、マルチキャストサービスの活性化をＵＥ１５０のＭＢＭＳデータ送受信部１５３に要求するため、ＩＰマルチキャストアドレスを含むＲｅｑｕｅｓｔ  ＭＢＭＳ  Ｃｏｎｔｅｘｔ  ＡｃｔｉｖａｔｉｏｎをＵＥ１５０に送信する。【００６５】  ＳＴ３０５では、ＵＥ１５０のＭＢＭＳデータ送受信部１５３が、データ転送に必要なＴＭＧＩを取得するため、ＩＰマルチキャストアドレスを含むＡｃｔｉｖａｔｅ  ＭＢＭＳ  Ｃｏｎｔｅｘｔ  ＲｅｑｕｅｓｔをＳＧＳＮ１３０の制御部１３１に送信する。【００６６】  ＳＴ３０６では、ＳＧＳＮ１３０の��御部１３１は、受信したＡｃｔｉｖａｔｅ  ＭＢＭＳ  Ｃｏｎｔｅｘｔ  Ｒｅｑｕｅｓｔに含まれているＩＰマルチキャストアドレスに対応するＴＭＧＩが選択部１３２に記憶されていない場合、マルチキャストサービスの活性化をＧＧＳＮ１２０の制御部１２１に要求するため、ＩＰマルチキャストアドレスを含むＣｒｅａｔｅ  ＭＢＭＳ  Ｃｏｎｔｅｘｔ  Ｒｅｑｕｅｓｔを送信する。【００６７】  ＳＴ３０７では、ＧＧＳＮ１２０の制御部１２１は、受信したＣｒｅａｔｅ  ＭＢＭＳ  Ｃｏｎｔｅｘｔ  Ｒｅｑｕｅｓｔに含まれているＩＰマルチキャストアドレスに対応するＴＭＧＩが選択部１２２に記憶されていない場合、ＩＰマルチキャストアドレスを含むＭＢＭＳ  Ｒｅｇｉｓｔｒａｔｉｏｎ  ＲｅｑｕｅｓｔをＢＭ−ＳＣ１１０のデータ転送制御部１１３に送信する。【００６８】  ＳＴ３０８では、ＢＭ−ＳＣ１１０のデータ転送制御部１１３が、受信したＭＢＭＳ  Ｒｅｇｉｓｔｒａｔｉｏｎ  Ｒｅｑｕｅｓｔに含まれているＩＰマルチキャストアドレスに対応するＴＭＧＩを情報記憶部１１１から検索し、検索したＴＭＧＩをＭＢＭＳ  Ｒｅｇｉｓｔｒａｔｉｏｎ  Ｒｅｓｐｏｎｓｅに設定して、ＧＧＳＮ１２０の制御部１２１に送信する。【００６９】  ＧＧＳＮ１２０の選択部１２２は、ＭＢＭＳ  Ｒｅｇｉｓｔｒａｔｉｏｎ  Ｒｅｑｕｅｓｔに含めたＩＰマルチキャストアドレスと、ＭＢＭＳ  Ｒｅｇｉｓｔｒａｔｉｏｎ  Ｒｅｓｐｏｎｓｅに含まれているＴＭＧＩとの対応関係を記憶する。【００７０】  ＳＴ３０９では、ＧＧＳＮ１２０の制御部１２１が、Ｃｒｅａｔｅ  ＭＢＭＳ  Ｃｏｎｔｅｘｔ  Ｒｅｑｕｅｓｔに設定されているＩＰマルチキャストアドレスに対応したマルチキャストサービスの活性化がＧＧＳＮ１２０において完了したことをＣｒｅａｔｅ  ＭＢＭＳ  Ｃｏｎｔｅｘｔ  ＲｅｓｐｏｎｓｅによりＳＧＳＮ１３０に通知する。【００７１】  ＳＴ３１０では、ＳＧＳＮ１３０の制御部１３１は、Ａｃｔｉｖａｔｅ  ＭＢＭＳ  Ｃｏｎｔｅｘｔ  Ｒｅｑｕｅｓｔに含まれているＩＰマルチキャストアドレスに対応するＴＭＧＩが選択部１３２に記憶されていない場合、ＩＰマルチキャストアドレスを含むＭＢＭＳ  Ｒｅｇｉｓｔｒａｔｉｏｎ  ＲｅｑｕｅｓｔをＧＧＳＮ１２０の制御部１２１に送信する。【００７２】  ＳＴ３１１では、ＧＧＳＮ１２０の制御部１２１が、選択部１２２に記憶されているＩＰマルチキャストアドレスとＴＭＧＩとからＴＭＧＩを検索し、検索したＴＭＧＩをＭＢＭＳ  Ｒｅｇｉｓｔｒａｔｉｏｎ  Ｒｅｓｐｏｎｓｅに設定して、ＳＧＳＮ１３０の制御部１３１に送信する。【００７３】  ＳＧＳＮ１３０の選択部１３１は、ＭＢＭＳ  Ｒｅｇｉｓｔｒａｔｉｏｎ  Ｒｅｑｕｅｓｔに含めたＩＰマルチキャストアドレスと、ＭＢＭＳ  Ｒｅｇｉｓｔｒａｔｉｏｎ  Ｒｅｓｐｏｎｓｅに含まれているＴＭＧＩの対応関係を記憶する。【００７４】  ＳＴ３１２では、ＳＧＳＮ１３０が、Ａｃｔｉｖａｔｅ  ＭＢＭＳ  Ｃｏｎｔｅｘｔ  Ｒｅｑｕｅｓｔに含まれているＩＰマルチキャストアドレスに対応するＴＭＧＩをＡｃｔｉｖａｔｅ  ＭＢＭＳ  Ｃｏｎｔｅｘｔ  Ａｃｃｅｐｔに含めてＵＥ１５０に送信する。【００７５】  ＳＴ３１３では、ＳＧＳＮ１３０の制御部１３１が、Ｉ��マルチキャストアドレスに対応するＴＭＧＩ及びグループＩＤを含むＭＢＭＳ  ＵＥ  Ｌｉｎｋｉｎｇ  ＲｅｑｕｅｓｔをＲＮＣ１４０に送信し、ＲＮＣ１４０に対してＵＥ１５０がマルチキャストサービスに加入したことを通知する。ＭＢＭＳ  ＵＥ  Ｌｉｎｋｉｎｇ  Ｒｅｑｕｅｓｔには、図７に示すように、ＴＭＧＩとＵＥ１５０のグループＩＤとが対応付けられている。ＲＮＣ１４０の選択部１４２は、受信したＭＢＭＳ  ＵＥ  Ｌｉｎｋｉｎｇ  Ｒｅｑｕｅｓｔに含まれているＴＭＧＩ及びグループＩＤを記憶する。【００７６】  ＳＴ３１４では、ＢＭ−ＳＣ１１０のデータ転送制御部１１３が、マルチキャストパケット通信を開始するため、ＴＭＧＩ、グループＩＤ、当該グループＩＤが選択すべきＲＴＰポート番号を含むＳｅｓｓｉｏｎ  Ｓｔａｒｔ  ＲｅｑｕｅｓｔをＧＧＳＮ１２０に送信する。【００７７】  ＳＴ３１５では、ＢＭ−ＳＣ１１０のデータ転送制御部１１３から送信されたＳｅｓｓｉｏｎ  Ｓｔａｒｔ  ＲｅｑｕｅｓｔをＧＧＳＮ１２０の制御部１２１がＳＧＳＮ１３０に送信し、ＳＴ３１６では、ＧＧＳＮ１２０の制御部１２１から送信されたＳｅｓｓｉｏｎ  Ｓｔａｒｔ  ＲｅｑｕｅｓｔをＲＮＣ１４０に送信する。Ｓｅｓｓｉｏｎ  Ｓｔａｒｔ  Ｒｅｑｕｅｓｔは、図８に示すように、ＴＭＧＩとグループＩＤ毎のＲＴＰポート番号とが対応付けられている。【００７８】  ＳＴ３１７では、Ｓｅｓｓｉｏｎ  Ｓｔａｒｔ  Ｒｅｑｕｅｓｔを受信したＲＮＣ１４０の制御部１４１が、ＮｏｔｉｆｉｃａｔｉｏｎをＵＥ１５０に送信し、マルチキャストパケット通信の開始をＵＥ１５０に通知する。【００７９】  ＵＥ１５０は、ＭＢＭＳデータ送受信部１５３において、受信したＮｏｔｉｆｉｃａｔｉｏｎに含まれているＴＭＧＩが情報記憶部１５２に記憶されているＴＭＧＩと一致するか否かを判定し、一致する場合には、ＭＢＭＳデータ送受信部１５３がＭＢＭＳデータの受信を開始する。【００８０】  ここで、ＢＭ−ＳＣ１１０がコンテンツプロバイダから受信したＭＢＭＳデータを送信すると、ＧＧＳＮ１２０、ＳＧＳＮ１３０及びＲＮＣ１４０の選択部１２２、１３２、１４２は、指定されているＴＭＧＩ及びグループＩＤに基づいて、対応するＲＴＰポート番号のＭＢＭＳデータだけを転送する。【００８１】  これにより、ＧＧＳＮ１２０、ＳＧＳＮ１３０、ＲＮＣ１４０において、不要なＭＢＭＳデータの無線回線及びネットワークへの転送を抑制することができる。【００８２】  このようなマルチキャストパケット通信システムにおけるＭＢＭＳデータストリームの流れについて、図９を用いて具体的に説明する。図９では、１つのサービスが４つのＭＢＭＳデータストリームにより構成されているものとする。また、ＵＥ１はＭＢＭＳデータストリーム１を要求し、ＵＥ２はＭＢＭＳデータストリーム１，２を要求し、ＵＥ３はＭＢＭＳデータストリーム１〜３を要求するものとする。さらに、ＵＥ４はＭＢＭＳデータストリーム１〜３を要求し、ＵＥ５はＭＢＭＳデータストリーム１，２を要求し、ＵＥ６はＭＢＭＳデータストリーム１〜４を要求するものとする。【００８３】  ＢＭ−ＳＣ１１０から送信された４つのＭＢＭＳデータストリームは、ＧＧＳＮ１２０を介してＳ��ＳＮ１，２において受信される。ＳＧＳＮ１では、配下のＵＥ１〜３のうちＵＥ３がＭＢＭＳデータストリーム１〜３の受信を要求していることから、ＭＢＭＳデータストリーム１〜３を選択し、ＲＮＣ１に転送する。【００８４】  また、ＳＧＳＮ２では、配下のＵＥ４〜６のうちＵＥ６がＭＢＭＳデータストリーム１〜４の受信を要求していることから、ＭＢＭＳデータストリーム１〜４全てをＲＮＣ２に転送する。【００８５】  ＲＮＣ１は、ＭＢＭＳデータストリーム１の受信を要求するＵＥ１を配下に有するＮｏｄｅ  Ｂ１にはＭＢＭＳデータストリーム１を転送し、ＭＢＭＳデータストリーム１，２の受信を要求するＵＥ２を配下に有するＮｏｄｅ  Ｂ２にはＭＢＭＳデータストリーム１，２を転送し、ＭＢＭＳデータストリーム１〜３の受信を要求するＵＥ３を配下に有するＮｏｄｅ  Ｂ３にはＭＢＭＳデータストリーム１〜３を転送する。【００８６】  また、ＲＮＣ２は、ＭＢＭＳデータストリーム１〜３の受信を要求するＵＥ４を配下に有するＮｏｄｅ  Ｂ４にはＭＢＭＳデータストリーム１〜３を転送し、ＭＢＭＳデータストリーム１，２の受信を要求するＵＥ５を配下に有するＮｏｄｅ  Ｂ５にはＭＢＭＳデータストリーム１，２を転送し、ＭＢＭＳデータストリーム１〜４の受信を要求するＵＥ６を配下に有するＮｏｄｅ  Ｂ６にはＭＢＭＳデータストリーム１〜４を転送する。【００８７】  このように実施の形態１によれば、ＧＧＳＮ、ＳＧＳＮ、ＲＮＣの各中継装置において、ＵＥの要求するサービスを識別するサービス識別子と、ＵＥの無線アクセス方式を識別するグループＩＤと、当該グループＩＤに対応するＲＴＰポート番号とを対応付けて記憶することにより、１つのサービスが複数のＭＢＭＳデータストリームにより構成されている場合でも、各中継装置は配下のＵＥの要求に応じたＭＢＭＳデータストリームのみを転送することができ、無線回線及びネットワークへの不要なＭＢＭＳデータの配信を回避することができるので、無線回線及びネットワークのリソースを有効に利用することができる。【００８８】  なお、本実施の形態では、グループＩＤとＲＴＰポート番号の対応関係をＳｅｓｓｉｏｎ  Ｓｔａｒｔ  Ｒｅｑｕｅｓｔによって通知したが、本発明はこれに限らず、Ｃｒｅａｔｅ  ＭＢＭＳ  Ｃｏｎｔｅｘｔ  Ｒｅｑｕｅｓｔ，ＭＢＭＳ  Ｒｅｇｉｓｔｒａｔｉｏｎ  ＲｅｑｕｅｓｔによってグループＩＤとＲＴＰポート番号との対応関係を問い合わせ、ＭＢＭＳ  Ｒｅｇｉｓｔｒａｔｉｏｎ  Ｒｅｓｐｏｎｓｅ，Ｃｒｅａｔｅ  ＭＢＭＳ  Ｃｏｎｔｅｘｔ  Ｒｅｓｐｏｎｓｅによって通知するようにしてもよい。【００８９】  また、本実施の形態では、Ｓｅｒｖｉｃｅ  Ａｎｎｏｕｎｃｅｍｅｎｔ，Ｊｏｉｎｉｎｇ，ＭＢＭＳ  Ｎｏｔｉｆｉｃａｔｉｏｎ  Ｒｅｑｕｅｓｔ，ＭＢＭＳ  ＵＥ  ｌｉｎｋｉｎｇ  ＲｅｑｕｅｓｔによってグループＩＤを通知したが、本発明はこれに限らず、ＲＮＣ、ＳＧＳＮ、ＧＧＳＮに配下の無線アクセス方式を識別するグループＩＤを予め設定しておき、Ｓｅｓｓｉｏｎ  Ｓｔａｒｔ  ＲｅｑｕｅｓｔによってグループＩＤとＲＴＰポート番号との対応関係通知するようにしてもよい。【００９０】  （実施の形態２）
実施の形態１では、各中継装置においてＩＰマルチキャストアドレスとグループＩＤとを対応させ、グループＩＤに対応するＲＴＰポート番号を記憶させる場合について説明したが、本発明の実施の形態２では、ＩＰマルチキャストアドレスとＲＴＰポート番号とを対応させて記憶する場合について説明する。ただし、マルチキャストパケット通信システムの構成は図２と同様であるので、図２を援用して説明する。【００９１】  ＢＭ−ＳＣ１１０は、図１０に示すように、ＩＰマルチキャストアドレスとＲＴＰポート番号とを対応付けたＳｅｒｖｉｃｅ  ＡｎｎｏｕｎｃｅｍｅｎｔをＵＥ１５０に送信する。【００９２】  ＵＥ１５０は、図１０に示すように、受信を希望するＩＰマルチキャストアドレスと、ＭＢＭＳデータストリームを示すＲＴＰポート番号とを対応付けたＪｏｉｎｉｎｇをＧＧＳＮ１２０に送信する。【００９３】  ＧＧＳＮ１２０は、図１０に示すように、ＵＥ１５０が受信を希望するＩＰマルチキャストアドレスと、ＭＢＭＳデータストリームを示すＲＴＰポート番号とを対応付けたＭＢＭＳ  Ｎｏｔｉｆｉｃａｔｉｏｎ  ＲｅｑｕｅｓｔをＳＧＳＮ１３０に送信する。【００９４】  ＳＧＳＮ１３０は、図１１に示すように、ＵＥ１５０が受信を希望するＴＭＧＩと、ＭＢＭＳデータストリームを示すＲＴＰポート番号とを対応付けたＭＢＭＳ  ＵＥ  ｌｉｎｋｉｎｇ  ＲｅｑｕｅｓｔをＲＮＣ１４０に送信する。【００９５】  ＧＧＳＮ１２０、ＳＧＳＮ１３０、ＲＮＣ１４０の各中継装置は、それぞれ受信した制御信号に含まれる対応関係を記憶し、ＭＢ−ＳＣ１１０から送信された図１２に示すＳｅｓｓｉｏｎ  Ｓｔａｒｔ  Ｒｅｑｕｅｓｔを順次転送する。【００９６】  このように実施の形態２によれば、ＧＧＳＮ、ＳＧＳＮ、ＲＮＣの各中継装置において、ＵＥの要求するサービスを識別するサービス識別子と、当該サービス識別子に対応するＲＴＰポート番号とを対応付けて記憶することにより、１つのサービスが複数のＭＢＭＳデータストリームにより構成されている場合でも、各中継装置は配下のＵＥの要求に応じたＭＢＭＳデータストリームのみを転送することができ、無線回線及びネットワークへの不要なＭＢＭＳデータの配信を回避することができるので、無線回線及びネットワークのリソースを有効に利用することができる。【００９７】  なお、Ｓｅｒｖｉｃｅ  Ａｎｎｏｕｎｃｅｍｅｎｔは、図１０に示すＩＰマルチキャストアドレスとＲＴＰポート番号との組合せに代えて、図１３に示すように、ＩＰマルチキャストアドレスとグループＩＤ毎のＲＴＰポート番号とを対応付けたものを用いてもよい。【００９８】  なお、上記各実施の形態では、本発明をハードウェアで構成する場合を例にとって説明したが、本発明はソフトウェアで実現することも可能である。【００９９】  また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【０１００】  また、集積回路化の手法はＬＳＩ���限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。【０１０１】  さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。【０１０２】  本明細書は、２００５年５月３０日出願の特願２００５−１５７４５１に基づくものである。この内容は全てここに含めておく。
【産業上の利用可能性】
【０１０３】  本発明にかかるパケット中継装置、マルチキャストパケット通信システム及びマルチキャストパケット通信方法は、無線回線及びネットワークのリソースを有効に利用することができ、１つのサービスが複数のＭＢＭＳデータストリームによって構成されるＭＢＭＳを提供するシステムに適用することができる。
【図１】
2006129586.tif 000002
【図２】
2006129586.tif 000003
【図３】
2006129586.tif 000004
【図４】
2006129586.tif 000005
【図５】
2006129586.tif 000006
【図６】
2006129586.tif 000007
【図７】
2006129586.tif 000008
【図８】
2006129586.tif 000009
【図９】
2006129586.tif 000010
【図１０】
2006129586.tif 000011
【図１１】
2006129586.tif 000012
【図１２】
2006129586.tif 000013
【図１３】
2006129586.tif 000014
【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
マルチキャストパケット通信を行う通信端末装置からサービスを識別するサービス識別子と、前記通信端末装置の機能を識別するグループ識別子とを受信する制御手段と、
上位装置から送信されたデータストリームのうち、前記サービス識別子及び前記グループ識別子に基づいて、前記通信端末装置が要求するデータストリームを選択し、選択したデータストリームを下位装置に転送する選択手段と、
を具備するパケット中継装置。
【請求項２】
前記選択手段は、前記サービス識別子、前記グループ識別子及び前記データストリームを識別するストリーム識別子をそれぞれ対応付けて記憶する請求項１に記載のパケット中継装置。
【請求項３】
前記グループ識別子は、前記通信端末装置の無線アクセス方式を識別する請求項２に記載のパケット中継装置。
【請求項４】
前記グループ識別子は、前記通信端末装置の動画ストリームまたは音声ストリームの再生機能を識別する請求項２に記載のパケット中継装置。
【請求項５】
（削除）
【請求項６】
サービスを識別するサービス識別子と自装置の機能を識別するグループ識別子とを送信する通信端末装置と、
上位装置から送信されたデータストリームのうち、前記サービス識別子及び前記グループ識別子に基づいて、前記通信端末装置が要求するデータストリームを選択し、選択したデータストリームを下位装置に転送するパケット中継装置と、
を具備するマルチキャストパケット通信システム。
【請求項７】
サービスを識別するサービス識別子と通信端末装置の機能を識別するグループ識別子とを前記通信端末装置から送信する工程と、
上位装置から送信されたデータストリームのうち、前記サービス識別子及び前記グループ識別子に基づいて、前記通信端末装置が要求するデータストリームを選択し、選択したデータストリームをパケット中継装置から下位装置に転送する工程と、
を具備するマルチキャストパケット通信方法。
【手続補正書】
【提出日】平成19年3月11日(2007.3.11)
【手続補正１】
【補正対象書類名】特許請求の範囲
【補正対象項目名】全文
【補正方法】変更
【補正の内容】
【特許請求の範囲】
【請求項１】
マルチキャストパケット通信を行う通信端末装置からサービスを識別するサービス識別子と前記通信端末装置の機能を識別するグループ識別子とを受信する制御手段と、
上位装置から送信されたデータストリームのうち、前記サービス識別子及び前記グループ識別子に基づいて、前記通信端末装置が要求するデータストリームを選択し、選択したデータストリームを下位装置に転送する選択手段と、
を具備するパケット中継装置。
【請求項２】
前記選択手段は、前記サービス識別子、前記グループ識別子及び前記データストリームを識別するストリーム識別子をそれぞれ対応付けて記憶する請求項１に記載のパケット中継装置。
【請求項３】
前記グループ識別子は、前記通信端末装置の無線アクセス方式を識別する請求項２に記載のパケット中継装置。
【請求項４】
前記グループ識別子は、前記通信端末装置の動画ストリームまたは音声ストリームの再生機能を識別する請求項２に記載のパケット中継装置。
【請求項５】
サービスを識別するサービス識別子と自装置の機能を識別するグループ識別子とを送信する通信端末装置と、
上位装置から送信されたデータストリームのうち、前記サービス識別子及び前記グループ識別子に基づいて、前記通信端末装置が要求するデータストリームを選択し、選択したデータストリームを下位装置に転送するパケット中継装置と、
を具備するマルチキャストパケット通信システム。
【請求項６】
サービスを識別するサービス識別子と前記通信端末装置の機能を識別するグループ識別子とを通信端末装置から送信する工程と、
上位装置から送信されたデータストリームのうち、前記サービス識別子及び前記グループ識別子に基づいて、前記通信端末装置が要求するデータストリームを選択し、選択したデータストリームをパケット中継装置から下位装置に転送する工程と、
を具備するマルチキャストパケット通信方法。
【手続補正２】
【補正対象書類名】明細書
【補正対象項目名】全文
【補正方法】変更
【補正の内容】
【発明の詳細な説明】
【技術分野】
【０００１】
本発明は、マルチキャストパケット通信を提供するパケット中継装置、マルチキャストパケット通信システム及びマルチキャストパケット通信方法に関する。
【背景技術】
【０００２】
移動体通信の分野においては、近年、マルチメディア・ブロードキャスト／マルチキャストサービス（Multimedia Broadcast/Multicast Service：以下、「ＭＢＭＳ」という）に関する技術的な検討が行われている。ＭＢＭＳは、１対１の通信ではなく、１対多の通信であり、１つの基地局装置が複数の通信端末装置に対して同時に同一データ（例えば、音楽データやビデオ画像データ等）を送信する。
【０００３】
ＭＢＭＳの利点としては以下のことが挙げられる。すなわち、ストリーミング・サービス等で、基地局装置から送信される情報をそれぞれの通信端末装置が個別チャネルを１チャネルずつ使用して受信すると、その情報を受信したい通信端末装置が増えた場合に、無線回線にかかる負荷が大きくなってしまう。しかし、ＭＢＭＳを使用すると、通信端末装置が増えた場合でもそれらの通信端末装置全てが同じチャネルを使用して情報を受信するので、無線回線にかかる負荷を増大させることなく情報受信できる通信端末装置を増加させることができる。現在、ＭＢＭＳを用いたサービスとしては、交通情報の配信、音楽配信、駅でのニュース配信、スポーツ中継の配信等が考えられている。
【０００４】
図１は、ＭＢＭＳを提供するパケット通信システム１０の構成図である。ＭＢＭＳのパケット通信システム１０は、コンテンツプロバイダ１１、ＢＭ−ＳＣ（Broadcast/Multicast Service Center）１２、ＧＧＳＮ１３、ＳＧＳＮ１４、基地局制御局装置（以下、「ＲＮＣ」という）１５、基地局装置（以下、「Ｎｏｄｅ Ｂ」という）１６及び通信端末装置（以下、「ＵＥ」という）１７から構成される。
【０００５】
また、ＧＧＳＮ１３及びＳＧＳＮ１４はコアネットワーク（以下、「ＣＮ」という）１８を構成し、ＲＮＣ１５及びＮｏｄｅ Ｂ１６は無線アクセスネットワーク（以下、「ＲＡＮ」という）１９を構成している。
【０００６】
コンテンツプロバイダ１１は、コンテンツ提供者であり、ＭＢＭＳで提供するコンテンツをＭＢＭＳデータとしてＢＭ−ＳＣ１２に提供する。
【０００７】
ＢＭ−ＳＣ１２は、ＧＧＳＮ１３に指示すると共に、コンテンツプロバイダ１１から提供されたＭＢＭＳデータをＧＧＳＮ１３に転送する。
【０００８】
ＧＧＳＮ１３は、ＢＭ−ＳＣ１２の指示に従い、ＳＧＳＮ１４との間で、ＭＢＭＳデータを転送するためのbearer planeを設定する。
【０００９】
ＳＧＳＮ１４は、ユーザ毎のＭＢＭＳ制御(例えば、MBMS Multicast Service Activation, MBMS Session Start Request, MBMS Registration, MBMS Session Stop)を行うと共に、ＭＢＭＳデータをＲＮＣ１５に転送する。
【００１０】
ＲＮＣ１５は、ＭＢＭＳデータを効率的に転送するために、ＳＧＳＮ１４から転送されたＭＢＭＳデータを複製し、複製したＭＢＭＳデータをＮｏｄｅ Ｂ１６それぞれに転送する。
【００１１】
Ｎｏｄｅ Ｂ１６は、ＲＮＣ１５から転送されたＭＢＭＳデータを無線インタフェースの共通チャネルを用いて、ＵＥ１７に無線送信する。公衆ネットワークは、ＲＮＣ１５とＮｏｄｅ Ｂ１６との間のデータ転送に利用される。
【００１２】
ＵＥ１７は、MBMS bearer service制御を行うと共に、Ｎｏｄｅ Ｂ１６から無線送信されたＭＢＭＳデータを受信する。
【００１３】
このように、コンテンツプロバイダ１１によって提供されたコンテンツは、ＭＢＭＳデータとしてＮｏｄｅ Ｂ１６配下の複数のＵＥ１７に対して、一斉に送信される。
【００１４】
ところで、１つのサービスが複数のＭＢＭＳデータストリームにより構成されている場合があり、例えば、映像と音声を別々のＭＢＭＳデータストリームにより伝送する場合や、階層化符号化を用いて映像、音声を基本レイヤストリームと拡張レイヤストリームに符号化し、基本レイヤストリームと拡張レイヤストリームとを別々のＭＢＭＳデータストリームにより伝送する場合などがある。
【００１５】
具体的には、マルチキャストサービスがＩＰマルチキャストアドレスにより識別され、このマルチキャストサービスが複数のＲＴＰ（Real-time Transport Protocol）ストリームにより構成される場合が考えられる。この場合、音声と映像が別々のＲＴＰストリームにより転送され、これらが同じ１つのＩＰマルチキャストアドレスを利用して転送される場合が考えられる。
【非特許文献１】3GPP TS 23.246 V.6.2.0 (2004-03) Multimedia Broadcast/Multicast Service (MBMS);Architecture and functional description(Release 6)
【発明の開示】
【発明が解決しようとする課題】
【００１６】
しかしながら、上述したＭＢＭＳを提供するシステム構成におけるマルチキャストパケット通信方法では、１つのサービスが複数のＭＢＭＳデータストリームにより構成されている場合、端末の希望するストリームに応じたＭＢＭＳデータストリームだけを転送することができず、無線回線及びネットワークに不要なＭＢＭＳデータが配信されるため、無線回線及びネットワークのリソースを有効に利用することができない。
【００１７】
本発明の目的は、１つのサービスが複数のＭＢＭＳデータストリームにより構成されている場合でも、無線回線及びネットワークのリソースを有効に利用することができるパケット中継装置、マルチキャストパケット通信システム及びマルチキャストパケット通信方法を提供することである。
【課題を解決するための手段】
【００１８】
本発明のパケット中継装置は、マルチキャストパケット通信を行う通信端末装置から要求されたデータストリームを識別するストリーム識別子を受信する制御手段と、上位装置から送信されたデータストリームを受信し、受信したデータストリームのうち前記ストリーム識別子に基づいて前記通信端末装置が要求するデータストリームを選択し、選択したデータストリームを下位装置に転送する選択手段と、を具備する構成を採る。
【００１９】
本発明のマルチキャストパケット通信システムは、サービスを識別するサービス識別子とデータストリームを識別するストリーム識別子とを用いて所望のサービスを要求する通信端末装置と、上位装置から送信された複数のデータストリームのうち、前記ストリーム識別子に基づいて前記通信端末装置が要求するデータストリームを下位装置に転送するパケット中継装置と、を具備する構成を採る。
【００２０】
これらの構成によれば、上位装置から受信したデータストリームのうち通信端末装置が要求するデータストリームを下位装置に転送するので、通信端末装置が要求しないデータストリームの転送を回避することができ、無線回線及びネットワークのリソースを有効に利用することができる。
【００２１】
本発明のマルチキャストパケット通信方法は、サービスを識別するサービス識別子とデータストリームを識別するストリーム識別子とを用いて通信端末装置が所望のサービスを要求する工程と、上位装置から送信された複数のデータストリームのうち、前記ストリーム識別子に基づいて前記通信端末装置が要求するデータストリームをパケット中継装置が下位装置に転送する工程と、を具備するようにした。
【００２２】
この方法によれば、上位装置から受信したデータストリームのうち通信端末装置が要求するデータストリームを下位装置に転送するので、通信端末装置が要求しないデータストリームの転送を回避することができ、無線回線及びネットワークのリソースを有効に利用することができる。
【発明の効果】
【００２３】
本発明によれば、１つのサービスが複数のＭＢＭＳデータストリームにより構成されている場合でも、無線回線及びネットワークのリソースを有効に利用することができる。
【発明を実施するための最良の形態】
【００２４】
以下、本発明の実施の形態について、図面を参照して詳細に説明する。
【００２５】
（実施の形態１）
図２は、本発明の実施の形態１に係るマルチキャストパケット通信システム１００の構成を示すブロック図である。まず、ＢＭ−ＳＣ（Broadcast/Multicast service center）１１０について説明する。情報記憶部１１１は、ＢＭ−ＳＣ１１０が提供するマルチキャストサービス内容、サービスを識別するサービス識別子としてのＩＰマルチキャストアドレス、グループＩＤ、ＴＭＧＩ（Temporary Mobile Group Identity）をそれぞれ対応付けて記憶する。
【００２６】
ここで、グループＩＤとは、ＵＥの機能を識別する識別子であり、ＵＥの機能としては、ＵＥの無線アクセス方式があり、例えば、いわゆる第２世代、第３世代、第４世代移動体無線通信システムと呼ばれる無線アクセス方式などである。また、ＵＥの機能としては、動画ストリーム又は音声ストリームの再生機能がある。さらに、ＵＥの機能としては、3GPP TS25.331のUE Capability Informationの通信端末装置の無線アクセス機能（UE radio access capability）で定義されているＵＥのデータレート、チャネル数、バッファ量、アクセスモード（ＦＤＤ，ＴＤＤ）、周波数帯、ヘッダ圧縮機能、暗号化機能がある。また、ＴＭＧＩとは、ビット長の長いＩＰマルチキャストアドレスを短いビット長に置き換えたものであり、これにより無線リソースを効率的に利用することができる。
【００２７】
ＭＢＭＳ用送信部１１２は、情報記憶部１１１に記憶されたマルチキャストサービス内容、ＩＰマルチキャストアドレス及びグループＩＤを読み出し、読み出した情報をＵＥ１５０に送信（Service Announcement）する。
【００２８】
データ転送制御部１１３は、図示せぬコンテンツプロバイダからＭＢＭＳデータを受信し、受信したＭＢＭＳデータに含まれるＩＰマルチキャストアドレスと対応するＴＭＧＩ、グループＩＤ及びＭＢＭＳデータストリームを識別するストリーム識別子としてのＲＴＰポート番号を情報記憶部１１１から読み出し、マルチキャストパケット通信を開始するため、読み出したＴＭＧＩ、グループＩＤ及びＲＴＰポート番号を含む制御信号（Session Start Request）をＧＧＳＮ１２０に出力する。
【００２９】
また、データ転送制御部１１３は、ＧＧＳＮ１２０からのＩＰマルチキャストアドレスに対応するＴＭＧＩの問い合わせ（MBMS Registration Request）に対して、ＴＭＧＩを含む制御信号をＧＧＳＮ１２０に出力（MBMS Registration Response）する。
【００３０】
さらに、データ転送制御部１１３は、コンテンツプロバイダから受信したＭＢＭＳデータをＧＧＳＮ１２０に転送する。
【００３１】
次に、ＧＧＳＮ１２０について説明する。制御部１２１は、ＵＥ１５０、ＢＭ−ＳＣ１１０及びＳＧＳＮ１３０と制御信号の送受信を行うと共に、選択部１２２を制御する。具体的には以下のような処理を行う。
【００３２】
制御部１２１は、ＵＥ１５０からＩＰマルチキャストアドレス及びグループＩＤを受信（Joining）し、受信したＩＰマルチキャストアドレス及びグループＩＤを選択部１２２に出力する。
【００３３】
また、制御部１２１は、ＳＧＳＮ１３０に対してマルチキャストサービス活性化処理を行い、ＩＰマルチキャストアドレスとグループＩＤを含む制御信号をＳＧＳＮ１３０に出力する（MBMS Notification Request, Create MBMS Context Request, Create MBMS Context Response）。
【００３４】
また、制御部１２１は、ＩＰマルチキャストアドレスに対応するＴＭＧＩをＢＭ−ＳＣ１１０に問い合わせ（MBMS Registration Request）、ＢＭ−ＳＣ１１０からＩＰマルチキャストアドレスに対応するＴＭＧＩを受信（MBMS Registration Response）する。
【００３５】
また、制御部１２１は、使用されるＴＭＧＩとグループＩＤに対応するＭＢＭＳデータのみを選択するように、選択部１２２に指示する。
【００３６】
また、制御部１２１は、ＳＧＳＮ１３０からのＩＰマルチキャストアドレスに対応するＴＭＧＩの問い合わせに（MBMS Registration Request）対して、対応するＴＭＧＩを含む制御信号を出力（MBMS Registration Response）する。
【００３７】
また、制御部１２１は、ＢＭ−ＳＣ１１０からマルチキャストパケット通信の開始を示すＴＭＧＩ、グループＩＤ、ＲＴＰポート番号を含む制御信号（Session Start Request）を受信すると共に、受信したSession Start RequestをＳＧＳＮ１３０に出力する。
【００３８】
選択部１２２は、図３に示すように、ＩＰマルチキャストアドレス及びグループＩＤの対応関係を記憶するテーブルを有し、制御部１２１から出力されたＩＰマルチキャストアドレス及びグループＩＤがテーブルに記憶されていない新規なものである場合、これらをテーブルに記憶する。
【００３９】
また、選択部１２２は、ＩＰマルチキャストアドレスが新規のアドレスである場合、制御部１２１を介してＩＰマルチキャストアドレスに対応するＴＭＧＩを受信し、受信したＴＭＧＩをテーブルに記憶する。
【００４０】
また、選択部１２２は、ＭＢＭＳデータを受信する前に、制御部１２１を介してＢＭ−ＳＣ１１０からＴＭＧＩとグループＩＤに対応するＲＴＰポート番号を受信し、テーブルに記憶しているグループＩＤについてのみ、グループＩＤに対応するＲＴＰポート番号を記憶する。
【００４１】
また、選択部１２２は、ＭＢＭＳデータを受信した際には、テーブルに記憶しているＲＴＰポート番号に対応するＭＢＭＳデータを選択し、選択したＭＢＭＳデータのみをＳＧＳＮ１３０に送信する。
【００４２】
次に、ＳＧＳＮ１３０について説明する。制御部１３１は、ＵＥ１５０、ＧＧＳＮ１２０及びＲＮＣ１４０と制御信号の送受信を行うと共に、選択部１３２を制御する。具体的には以下のような処理を行う。
【００４３】
制御部１３１は、ＧＧＳＮ１２０からマルチキャストサービス活性化処理を受けると、ＩＰマルチキャストアドレスを含む制御信号をＵＥ１５０に出力（Request MBMS Context Activation）する。
【００４４】
また、制御部１３１は、ＩＰマルチキャストアドレスに対応するＴＭＧＩをＧＧＳＮ１２０に問い合わせ（MBMS Registration Request）、ＧＧＳＮ１２０からＩＰマルチキャストアドレスに対応するＴＭＧＩを受信（MBMS Registration Response）する。
【００４５】
また、制御部１３１は、使用されるＴＭＧＩとグループＩＤに対応するＭＢＭＳデータのみを選択するように、選択部１３２に指示する。
【００４６】
また、制御部１３１は、ＧＧＳＮ１２０からSession Start Requestを受信し、受信したSession Start RequestをＲＮＣ１４０に出力する。
【００４７】
なお、選択部１３２については、ＧＧＳＮ１２０の選択部１２２と同様なので、その詳細な説明は省略する。
【００４８】
次に、ＲＮＣ１４０について説明する。制御部１４１は、ＵＥ１５０及びＳＧＳＮ１３０と制御信号の送受信を行うと共に、選択部１４２を制御する。具体的には以下のような処理を行う。
【００４９】
制御部１４１は、ＳＧＳＮ１３０からＴＭＧＩに対応するグループＩＤを受信（MBMS UE linking Request）する。
【００５０】
また、制御部１４１は、使用されるＴＭＧＩとグループＩＤに対応するＭＢＭＳデータのみを選択するように、選択部１４２に指示する。
【００５１】
また、制御部１４１は、ＳＧＳＮ１３０からSession Start Requestを受信し、受信したSession Start Requestに含まれるＴＭＧＩを含む制御信号をＵＥ１５０に出力（Notification）する。
【００５２】
なお、選択部１４２については、ＧＧＳＮ１２０の選択部１２２と同様なので、その詳細な説明は省略する。
【００５３】
次に、ＵＥ１５０について説明する。ＭＢＭＳ用受信部１５１は、ＢＭ−ＳＣ１１０から送信されたマルチキャストサービス内容、ＩＰマルチキャストアドレス及びグループＩＤを受信し、受信したこれらの情報を情報記憶部１５２に出力する。
【００５４】
情報記憶部１５２は、ＭＢＭＳ用受信部１５１から出力されたマルチキャストサービス内容、ＩＰマルチキャストアドレス及びグループＩＤと、ＴＭＧＩとを対応付けて記憶する。
【００５５】
ＭＢＭＳデータ送受信部１５３は、受信を希望するマルチキャストサービスに対応するＩＰマルチキャストアドレスとグループＩＤとを含む制御信号をＧＧＳＮ１２０に出力（Joining）する。
【００５６】
また、ＭＢＭＳデータ送受信部１５３は、ＳＧＳＮ１３０との間でマルチキャストサービス活性化の処理を行い、ＩＰマルチキャストアドレスに対応するＴＭＧＩをＳＧＳＮ１３０から受信し、受信したＴＭＧＩを情報記憶部１５２に出力する（Request MBMS Context Activation, Activate MBMS Context Request, Activate MBMS Context Accept）。
【００５７】
また、ＭＢＭＳデータ送受信部１５３は、ＲＮＣ１４０からＭＢＭＳデータの転送開始を示す制御信号（Notification）を受信し、情報記憶部１５２に記憶されているＩＰマルチキャストアドレスに対応するＴＭＧＩに基づいて、図示せぬＮｏｄｅ ＢからＭＢＭＳデータを受信する。
【００５８】
なお、図２では、ＢＭ−ＳＣ１１０のＭＢＭＳ用送信部１１２とＵＥ１５０のＭＢＭＳ用受信部１５１とは直接接続しているにように記載しているが、実際には、ＧＧＳＮ１２０、ＳＧＳＮ１３０、ＲＮＣ１４０、Ｎｏｄｅ Ｂを介して接続している。
【００５９】
次に、上述したマルチキャストパケット通信システム１００における制御手順について図４を用いて説明する。図４において、ＳＴ３０１では、ＢＭ−ＳＣ１１０のＭＢＭＳ用送信部１１２からService Announcementが送信され、マルチキャストサービスをＵＥ１５０に通知する。Service Announcementには、ＢＭ−ＳＣ１１０の情報記憶部１１１に記憶されているマルチキャストサービス内容、ＩＰマルチキャストアドレス及びグループＩＤが設定されており、図５に示すように、ＩＰマルチキャストアドレス及びグループＩＤが対応付けられている。
【００６０】
ＵＥ１５０では、受信したService Announcementに含まれているＩＰマルチキャストアドレス及びグループＩＤのうち、受信を希望するものを情報記憶部１５２に記憶する。
【００６１】
ＳＴ３０２では、ＵＥ１５０のＭＢＭＳデータ送受信部１５３は、マルチキャストサービスを受信する場合、受信を希望するマルチキャストサービスとＭＢＭＳデータストリームに対応するＩＰマルチキャストアドレスとグループＩＤとを含むJoiningをＧＧＳＮ１２０に送信する。Joiningには、ＩＰマルチキャストアドレス及びＵＥ１５０のグループＩＤが設定されており、図６に示すように、ＩＰマルチキャストアドレスとＵＥ１５０のグループＩＤとが対応付けられている。ＧＧＳＮ１２０の選択部１２２は、受信したJoiningに含まれているＩＰマルチキャストアドレス及びグループＩＤを記憶する。
【００６２】
ＳＴ３０３では、ＧＧＳＮ１２０からＳＧＳＮ１３０に対して、ＩＰマルチキャストアドレス及びグループＩＤを含むMBMS Notification Requestを送信し、ＵＥ１５０がマルチキャストサービスに加入したことを通知する。MBMS Notification Requestには、図６に示すように、ＩＰマルチキャストアドレスとＵＥ１５０のグループＩＤとが対応付けられている。ＳＧＳＮ１３０の選択部１３２は、受信したMBMS Notification Requestに含まれているＩＰマルチキャストアドレス及びグループＩＤを記憶する。
【００６３】
ＳＴ３０４では、ＳＧＳＮ１３０の制御部１３１が、マルチキャストサービスの活性化をＵＥ１５０のＭＢＭＳデータ送受信部１５３に要求するため、ＩＰマルチキャストアドレスを含むRequest MBMS Context ActivationをＵＥ１５０に送信する。
【００６４】
ＳＴ３０５では、ＵＥ１５０のＭＢＭＳデータ送受信部１５３が、データ転送に必要なＴＭＧＩを取得するため、ＩＰマルチキャストアドレスを含むActivate MBMS Context RequestをＳＧＳＮ１３０の制御部１３１に送信する。
【００６５】
ＳＴ３０６では、ＳＧＳＮ１３０の制御部１３１は、受信したActivate MBMS Context Requestに含まれているＩＰマルチキャストアドレスに対応するＴＭＧＩが選択部１３２に記憶されていない場合、マルチキャストサービスの活性化をＧＧＳＮ１２０の制御部１２１に要求するため、ＩＰマルチキャストアドレスを含むCreate MBMS Context Requestを送信する。
【００６６】
ＳＴ３０７では、ＧＧＳＮ１２０の制御部１２１は、受信したCreate MBMS Context Requestに含まれているＩＰマルチキャストアドレスに対応するＴＭＧＩが選択部１２２に記憶されていない場合、ＩＰマルチキャストアドレスを含むMBMS Registration RequestをＢＭ−ＳＣ１１０のデータ転送制御部１１３に送信する。
【００６７】
ＳＴ３０８では、ＢＭ−ＳＣ１１０のデータ転送制御部１１３が、受信したMBMS Registration Requestに含まれているＩＰマルチキャストアドレスに対応するＴＭＧＩを情報記憶部１１１から検索し、検索したＴＭＧＩをMBMS Registration Responseに設定して、ＧＧＳＮ１２０の制御部１２１に送信する。
【００６８】
ＧＧＳＮ１２０の選択部１２２は、MBMS Registration Requestに含めたＩＰマルチキャストアドレスと、MBMS Registration Responseに含まれているＴＭＧＩとの対応関係を記憶する。
【００６９】
ＳＴ３０９では、ＧＧＳＮ１２０の制御部１２１が、Create MBMS Context Requestに設定されているＩＰマルチキャストアドレスに対応したマルチキャストサービスの活性化がＧＧＳＮ１２０において完了したことをCreate MBMS Context ResponseによりＳＧＳＮ１３０に通知する。
【００７０】
ＳＴ３１０では、ＳＧＳＮ１３０の制御部１３１は、Activate MBMS Context Requestに含まれているＩＰマルチキャストアドレスに対応するＴＭＧＩが選択部１３２に記憶されていない場合、ＩＰマルチキャストアドレスを含むMBMS Registration RequestをＧＧＳＮ１２０の制御部１２１に送信する。
【００７１】
ＳＴ３１１では、ＧＧＳＮ１２０の制御部１２１が、選択部１２２に記憶されているＩＰマルチキャストアドレスとＴＭＧＩとからＴＭＧＩを検索し、検索したＴＭＧＩをMBMS Registration Responseに設定して、ＳＧＳＮ１３０の制御部１３１に送信する。
【００７２】
ＳＧＳＮ１３０の選択部１３１は、MBMS Registration Requestに含めたＩＰマルチキャストアドレスと、MBMS Registration Responseに含まれているＴＭＧＩの対応関係を記憶する。
【００７３】
ＳＴ３１２では、ＳＧＳＮ１３０が、Activate MBMS Context Requestに含まれているＩＰマルチキャストアドレスに対応するＴＭＧＩをActivate MBMS Context Acceptに含めてＵＥ１５０に送信する。
【００７４】
ＳＴ３１３では、ＳＧＳＮ１３０の制御部１３１が、ＩＰマルチキャストアドレスに対応するＴＭＧＩ及びグループＩＤを含むMBMS UE Linking RequestをＲＮＣ１４０に送信し、ＲＮＣ１４０に対してＵＥ１５０がマルチキャストサービスに加入したことを通知する。MBMS UE Linking Requestには、図７に示すように、ＴＭＧＩとＵＥ１５０のグループＩＤとが対応付けられている。ＲＮＣ１４０の選択部１４２は、受信したMBMS UE Linking Requestに含まれているＴＭＧＩ及びグループＩＤを記憶する。
【００７５】
ＳＴ３１４では、ＢＭ−ＳＣ１１０のデータ転送制御部１１３が、マルチキャストパケット通信を開始するため、ＴＭＧＩ、グループＩＤ、当該グループＩＤが選択すべきＲＴＰポート番号を含むSession Start RequestをＧＧＳＮ１２０に送信する。
【００７６】
ＳＴ３１５では、ＢＭ−ＳＣ１１０のデータ転送制御部１１３から送信されたSession Start RequestをＧＧＳＮ１２０の制御部１２１がＳＧＳＮ１３０に送信し、ＳＴ３１６では、ＧＧＳＮ１２０の制御部１２１から送信されたSession Start RequestをＲＮＣ１４０に送信する。Session Start Requestは、図８に示すように、ＴＭＧＩとグループＩＤ毎のＲＴＰポート番号とが対応付けられている。
【００７７】
ＳＴ３１７では、Session Start Requestを受信したＲＮＣ１４０の制御部１４１が、NotificationをＵＥ１５０に送信し、マルチキャストパケット通信の開始をＵＥ１５０に通知する。
【００７８】
ＵＥ１５０は、ＭＢＭＳデータ送受信部１５３において、受信したNotificationに含まれているＴＭＧＩが情報記憶部１５２に記憶されているＴＭＧＩと一致するか否かを判定し、一致する場合には、ＭＢＭＳデータ送受信部１５３がＭＢＭＳデータの受信を開始する。
【００７９】
ここで、ＢＭ−ＳＣ１１０がコンテンツプロバイダから受信したＭＢＭＳデータを送信すると、ＧＧＳＮ１２０、ＳＧＳＮ１３０及びＲＮＣ１４０の選択部１２２、１３２、１４２は、指定されているＴＭＧＩ及びグループＩＤに基づいて、対応するＲＴＰポート番号のＭＢＭＳデータだけを転送する。
【００８０】
これにより、ＧＧＳＮ１２０、ＳＧＳＮ１３０、ＲＮＣ１４０において、不要なＭＢＭＳデータの無線回線及びネットワークへの転送を抑制することができる。
【００８１】
このようなマルチキャストパケット通信システムにおけるＭＢＭＳデータストリームの流れについて、図９を用いて具体的に説明する。図９では、１つのサービスが４つのＭＢＭＳデータストリームにより構成されているものとする。また、ＵＥ１はＭＢＭＳデータストリーム１を要求し、ＵＥ２はＭＢＭＳデータストリーム１，２を要求し、ＵＥ３はＭＢＭＳデータストリーム１〜３を要求するものとする。さらに、ＵＥ４はＭＢＭＳデータストリーム１〜３を要求し、ＵＥ５はＭＢＭＳデータストリーム１，２を要求し、ＵＥ６はＭＢＭＳデータストリーム１〜４を要求するものとする。
【００８２】
ＢＭ−ＳＣ１１０から送信された４つのＭＢＭＳデータストリームは、ＧＧＳＮ１２０を介してＳＧＳＮ１，２において受信される。ＳＧＳＮ１では、配下のＵＥ１〜３のうちＵＥ３がＭＢＭＳデータストリーム１〜３の受信を要求していることから、ＭＢＭＳデータストリーム１〜３を選択し、ＲＮＣ１に転送する。
【００８３】
また、ＳＧＳＮ２では、配下のＵＥ４〜６のうちＵＥ６がＭＢＭＳデータストリーム１〜４の受信を要求していることから、ＭＢＭＳデータストリーム１〜４全てをＲＮＣ２に転送する。
【００８４】
ＲＮＣ１は、ＭＢＭＳデータストリーム１の受信を要求するＵＥ１を配下に有するＮｏｄｅ Ｂ１にはＭＢＭＳデータストリーム１を転送し、ＭＢＭＳデータストリーム１，２の受信を要求するＵＥ２を配下に有するＮｏｄｅ Ｂ２にはＭＢＭＳデータストリーム１，２を転送し、ＭＢＭＳデータストリーム１〜３の受信を要求するＵＥ３を配下に有するＮｏｄｅ Ｂ３にはＭＢＭＳデータストリーム１〜３を転送する。
【００８５】
また、ＲＮＣ２は、ＭＢＭＳデータストリーム１〜３の受信を要求するＵＥ４を配下に有するＮｏｄｅ Ｂ４にはＭＢＭＳデータストリーム１〜３を転送し、ＭＢＭＳデータストリーム１，２の受信を要求するＵＥ５を配下に有するＮｏｄｅ Ｂ５にはＭＢＭＳデータストリーム１，２を転送し、ＭＢＭＳデータストリーム１〜４の受信を要求するＵＥ６を配下に有するＮｏｄｅ Ｂ６にはＭＢＭＳデータストリーム１〜４を転送する。
【００８６】
このように実施の形態１によれば、ＧＧＳＮ、ＳＧＳＮ、ＲＮＣの各中継装置において、ＵＥの要求するサービスを識別するサービス識別子と、ＵＥの無線アクセス方式を識別するグループＩＤと、当該グループＩＤに対応するＲＴＰポート番号とを対応付けて記憶することにより、１つのサービスが複数のＭＢＭＳデータストリームにより構成されている場合でも、各中継装置は配下のＵＥの要求に応じたＭＢＭＳデータストリームのみを転送することができ、無線回線及びネットワークへの不要なＭＢＭＳデータの配信を回避することができるので、無線回線及びネットワークのリソースを有効に利用することができる。
【００８７】
なお、本実施の形態では、グループＩＤとＲＴＰポート番号の対応関係をSession Start Requestによって通知したが、本発明はこれに限らず、Create MBMS Context Request, MBMS Registration RequestによってグループＩＤとＲＴＰポート番号との対応関係を問い合わせ、MBMS Registration Response, Create MBMS Context Responseによって通知するようにしてもよい。
【００８８】
また、本実施の形態では、Service Announcement, Joining, MBMS Notification Request, MBMS UE linking RequestによってグループＩＤを通知したが、本発明はこれに限らず、ＲＮＣ、ＳＧＳＮ、ＧＧＳＮに配下の無線アクセス方式を識別するグループＩＤを予め設定しておき、Session Start RequestによってグループＩＤとＲＴＰポート番号との対応関係通知するようにしてもよい。
【００８９】
（実施の形態２）
実施の形態１では、各中継装置においてＩＰマルチキャストアドレスとグループＩＤとを対応させ、グループＩＤに対応するＲＴＰポート番号を記憶させる場合について説明したが、本発明の実施の形態２では、ＩＰマルチキャストアドレスとＲＴＰポート番号とを対応させて記憶する場合について説明する。ただし、マルチキャストパケット通信システムの構成は図２と同様であるので、図２を援用して説明する。
【００９０】
ＢＭ−ＳＣ１１０は、図１０に示すように、ＩＰマルチキャストアドレスとＲＴＰポート番号とを対応付けたService AnnouncementをＵＥ１５０に送信する。
【００９１】
ＵＥ１５０は、図１０に示すように、受信を希望するＩＰマルチキャストアドレスと、ＭＢＭＳデータストリームを示すＲＴＰポート番号とを対応付けたJoiningをＧＧＳＮ１２０に送信する。
【００９２】
ＧＧＳＮ１２０は、図１０に示すように、ＵＥ１５０が受信を希望するＩＰマルチキャストアドレスと、ＭＢＭＳデータストリームを示すＲＴＰポート番号とを対応付けたMBMS Notification RequestをＳＧＳＮ１３０に送信する。
【００９３】
ＳＧＳＮ１３０は、図１１に示すように、ＵＥ１５０が受信を希望するＴＭＧＩと、ＭＢＭＳデータストリームを示すＲＴＰポート番号とを対応付けたMBMS UE linking RequestをＲＮＣ１４０に送信する。
【００９４】
ＧＧＳＮ１２０、ＳＧＳＮ１３０、ＲＮＣ１４０の各中継装置は、それぞれ受信した制御信号に含まれる対応関係を記憶し、ＭＢ−ＳＣ１１０から送信された図１２に示すSession Start Requestを順次転送する。
【００９５】
このように実施の形態２によれば、ＧＧＳＮ、ＳＧＳＮ、ＲＮＣの各中継装置において、ＵＥの要求するサービスを識別するサービス識別子と、当該サービス識別子に対応するＲＴＰポート番号とを対応付けて記憶することにより、１つのサービスが複数のＭＢＭＳデータストリームにより構成されている場合でも、各中継装置は配下のＵＥの要求に応じたＭＢＭＳデータストリームのみを転送することができ、無線回線及びネットワークへの不要なＭＢＭＳデータの配信を回避することができるので、無線回線及びネットワークのリソースを有効に利用することができる。
【００９６】
なお、Service Announcementは、図１０に示すＩＰマルチキャストアドレスとＲＴＰポート番号との組合せに代えて、図１３に示すように、ＩＰマルチキャストアドレスとグループＩＤ毎のＲＴＰポート番号とを対応付けたものを用いてもよい。
【００９７】
なお、上記各実施の形態では、本発明をハードウェアで構成する場合を例にとって説明したが、本発明はソフトウェアで実現することも可能である。
【００９８】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１００】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１０１】
本明細書は、２００５年５月３０日出願の特願２００５−１５７４５１に基づくものである。この内容は全てここに含めておく。
【産業上の利用可能性】
【０１０２】
本発明にかかるパケット中継装置、マルチキャストパケット通信システム及びマルチキャストパケット通信方法は、無線回線及びネットワークのリソースを有効に利用することができ、１つのサービスが複数のＭＢＭＳデータストリームによって構成されるＭＢＭＳを提供するシステムに適用することができる。
【図面の簡単な説明】
【０１０３】
【図１】ＭＢＭＳを提供するパケット通信システムの構成図
【図２】本発明の実施の形態１に係るマルチキャストパケット通信システムの構成を示すブロック図
【図３】ＩＰマルチキャストアドレス及びグループＩＤの対応関係を記憶するテーブルを示す図
【図４】図２に示したマルチキャストパケット通信システムにおける制御手順を示すシーケンス図
【図５】Service Announcementの説明に供する図
【図６】Joining, MBMS Notification Requestの説明に供する図
【図７】MBMS UE Linking Requestの説明に供する図
【図８】Session Start Requestの説明に供する図
【図９】図２に示したマルチキャストパケット通信システムにおけるＭＢＭＳデータストリームの流れを示す概念図
【図１０】Service Announcement, Joining, MBMS Notification Requestの説明に供する図
【図１１】MBMS UE linking Requestの説明に供する図
【図１２】Session Start Requestを示す図
【図１３】ＴＭＧＩとグループＩＤ毎のＲＴＰポート番号とを対応付けたService Announcementを示す図
【手続補正３】
【補正対象書類名】図面
【補正対象項目名】全図
【補正方法】変更
【補正の内容】
【図１】
2006129586.tif 000015
【図２】
2006129586.tif 000016
【図３】
2006129586.tif 000017
【図４】
2006129586.tif 000018
【図５】
2006129586.tif 000019
【図６】
2006129586.tif 000020
【図７】
2006129586.tif 000021
【図８】
2006129586.tif 000022
【図９】
2006129586.tif 000023
【図１０】
2006129586.tif 000024
【図１１】
2006129586.tif 000025
【図１２】
2006129586.tif 000026
【図１３】
2006129586.tif 000027
【国際調査報告】
2006129586.tif 000028
2006129586.tif 000029